(57)【特許請求の範囲】
【請求項１】
浴室の壁面に取り付けられる浴室テレビであって、この壁面の取り付け位置に設けられた穴を通して外部から信号線を浴室内に導き、その信号線を連結したものにおいて、浴室テレビの背面に凹部を形成し、その凹部内にコネクタを露出させて取り付け、上記信号線の先端に取り付けられたコネクタを浴室テレビ側のコネクタに接続した状態で、両コネクタを隠す蓋体を上記凹部に取り付けると共に、この蓋体を凹部に取り付けない状態で凹部内から突出し、浴室テレビを浴室の壁面に取り付けることを阻止する取付阻止片を設けたことを特徴とする浴室テレビ。
【請求項２】
上記取付阻止片は下端が上記凹部内で揺動自在に指示された板状の部材で、蓋体を装着していない状態で起立状態から重力により揺動して凹部から外側に突出し、先端が揺動中心より下方に位置する状態で揺動を停止するように構成されていることを特徴とする請求項１に記載の浴室テレビ。
【請求項３】
上記取付阻止片が凹部から突出して揺動を停止している状態で、取付阻止片の先端を揺動中心側に押すと、取付阻止片の揺動中心方向への移動を許容すると共に、移動後の取付阻止片の揺動を規制するロック機構を設けたことを特徴とする請求項２に記載の浴室テレビ。
【請求項４】
上記取付阻止片は下端が上記凹部内で揺動自在に指示された板状の部材で、蓋体を装着していない状態で起立状態から付勢手段による付勢力により揺動して凹部から外側に突出し、先端が揺動中心より下方に位置する状態で揺動を停止すると共に、その揺動を停止した状態から揺動軸線方向にスライドして、スライド後の取付阻止片の揺動を規制するロック機構を設けたことを特徴とする請求項１に記載の浴室テレビ。
【発明の詳細な説明】
【技術分野】
【０００１】
本発明は、浴室の壁面に固定される浴室テレビに関する。
【背景技術】
【０００２】
浴室テレビとして、浴室の壁面に固定されて使用するものが知られている。また、画面の大型化に伴ってケーシングが大型化するが、ケーシングの厚みは薄くすることが望まれるため、チューナ部は浴室テレビのケーシング内に内蔵せず、別途浴室の屋根裏などに設置し、画像信号や音声信号を信号線（ケーブル）を介してチューナ部から浴室テレビへと送信するものが知られている（例えば、特許文献１参照）。
【０００３】
このような浴室テレビでは信号線の他に電力供給用の電灯線などを通すための穴を浴室の壁面に開設し、電灯線や信号線はその穴を通して配線される。このうち、特にチューナ部から延びる信号線を浴室テレビ側に接続するために、信号線の先端にコネクタを設け、浴室テレビ側に設けたコネクタに信号線のコネクタを差し込むことによって配線を行う。ただし、浴室テレビ側からも信号線を出し、その信号線の先端にコネクタを設けて、チューナ部からの信号線のコネクタと浴室の壁裏で接続することも考えられるが、両コネクタが大きいような場合には、壁裏にそのようなスペースを確保することができず、両コネクタを壁裏に配置できない。
【０００４】
そこで、このような場合には、浴室テレビの背面に凹部を形成し、その凹部の内側面にコネクタを設け、チューナ部からの信号線のコネクタをその凹部内に設けられたコネクタに接続することが望まれる。
【先行技術文献】
【特許文献】
【０００５】
【特許文献１】特開２００８−２１２３７６号公報（図４）
【発明の概要】
【発明が解決しようとする課題】
【０００６】
上記コネクタとして、例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ：高精細度マルチメディアインターフェース）コネクタであると、防水仕様のコネクタが無いので、コネクタ同士の接続部分に浴室内からの湯水が掛からないようにする必要がある。そこで、浴室テレビ側のコネクタが設けられている凹部に、コネクタ同士の接続が完了したあとで蓋体を装着して湯水が凹部内に入らないようにすることが望ましい。
【０００７】
ところが、コネクタの接続作業は浴室テレビが設置される現場で行われるので、浴室テレビを設置する際に、凹部に蓋体を装着せずに浴室テレビを壁面に取り付けてしまうおそれが生じる。なお、チューナ部を内蔵しているタイプの浴室テレビでは、信号線であるアンテナケーブルを接続する際にも同様の不具合が生じるおそれがある。
【０００８】
そこで本発明は、上記の問題点に鑑み、上記蓋体を凹部に装着しなければ浴室の壁面に取り付けることができない浴室テレビを提供することを課題とする。
【課題を解決するための手段】
【０００９】
上記課題を解決するために本発明による浴室テレビは、浴室の壁面に取り付けられる浴室テレビであって、この壁面の取り付け位置に設けられた穴を通して外部から信号線を浴室内に導き、その信号線を連結したものにおいて、浴室テレビの背面に凹部を形成し、その凹部内にコネクタを露出させて取り付け、上記信号線の先端に取り付けられたコネクタを浴室テレビ側のコネクタに接続した状態で、両コネクタを隠す蓋体を上記凹部に取り付けると共に、この蓋体を凹部に取り付けない状態で凹部内から突出し、浴室テレビを浴室の壁面に取り付けることを阻止する取付阻止片を設けたことを特徴とする。
【００１０】
上記構成によれば、蓋体を凹部に取り付けなければ取付阻止片が凹部から突出し、そのまま浴室テレビを壁面に取り付けようとしても取付阻止片が邪魔をして浴室テレビを壁面に取り付けることができない。
【００１１】
なお、取付阻止片として、上記取付阻止片は下端が上記凹部内で揺動自在に指示された板状の部材で、蓋体を装着していない状態で起立状態から重力により揺動して凹部から外側に突出し、先端が揺動中心より下方に位置する状態で揺動を停止するように構成することが考えられる。
【００１２】
なお、取付阻止片が突出している状態でも、取付阻止片の先端を壁面に当接して、そのまま浴室テレビを下方に下げれば、取付阻止片が凹部側に揺動して浴室テレビの取り付けを阻止できなくなるおそれが生じる。
【００１３】
そこで、上記取付阻止片が凹部から突出して揺動を停止している状態で、取付阻止片の先端を揺動中心側に押すと、取付阻止片の揺動中心方向への移動を許容すると共に、移動後の取付阻止片の揺動を規制するロック機構を設けることが望ましい。
【００１４】
また、上記取付阻止片は下端が上記凹部内で揺動自在に指示された板状の部材で、蓋体を装着していない状態で起立状態から付勢手段による付勢力により揺動して凹部から外側に突出し、先端が揺動中心より下方に位置する状態で揺動を停止すると共に、その揺動を停止した状態から揺動軸線方向にスライドして、スライド後の取付阻止片の揺動を規制するロック機構を設けてもよい。なお、この付勢手段とは金属製のバネの他、ゴムなどの樹脂製のものを含む概念である。
【発明の効果】
【００１５】
以上の説明から明らかなように、本発明は、コネクタ同士を接続するために形成した凹部に蓋体を取り付けなければ、浴室テレビを壁面に固定できないようにしたので、蓋体を凹部に取り付けていない状態で浴室テレビを壁面に固定できないので、浴室テレビを壁面に取り付けたあとに、凹部内に湯水が入ってコネクタを濡らすという不具合を防止することができる。
【図面の簡単な説明】
【００１６】
【図１】浴室テレビの背面を示す図
【図２】凹部と蓋体との関係を示す拡大図
【図３】取付阻止部材の揺動を示す図
【図４】取付阻止部材の第２の実施の形態を示す斜視図
【図５】その第２の実施の形態での取付阻止部材のスライド移動を示す図
【発明を実施するための形態】
【００１７】
図１を参照して、１は本発明による浴室テレビの一例を示しており、１１はその浴室テレビ１の背面である。この浴室テレビ１は図示しない浴室の壁面に固定されるものであり、その固定の際に、背面１１が浴室の壁面に対向する姿勢で固定される。背面１１には環状のパッキン１２が貼着されている。一方、壁面には図示しない貫通穴が形成されており、浴室テレビ１を壁面に取り付ける際には壁面の貫通穴がパッキン１２の内側に位置するように固定する。
【００１８】
浴室テレビ１には電源コード１３が導出されており、壁面の貫通穴を通して電源コード１３が配線される。なお、この浴室テレビ１内にはチューナが内蔵されていない。チューナ部は別途浴室の屋根裏など適宜の場所に取り付けられ、そのチューナ部から画像信号及び音声信号が浴室テレビ１に送信されてくる。その送信には例えばＨＤＭＩケーブルが用いられ、そのＨＤＭＩケーブルの先端に設けられたコネクタを連結するためのコネクタを、背面１１に形成した凹部２の側面に設けた。
【００１９】
図２を参照して、５がＨＤＭＩケーブルで有り、先端にはコネクタ５１が取り付けられている。このコネクタ５１を浴室テレビ１側のコネクタ２１に接続した状態で浴室テレビ１を浴室の壁面に取り付けるが、パッキン１２で囲まれてはいるものの、パッキン１２を越えて凹部２まで湯水が進入してコネクタに湯水がかかると、コネクタ２１，５１が防水構造で無い場合に故障の原因となる。そこで、浴室テレビ１を壁面に固定する際に、蓋体３を凹部２に取り付け、主に上方から湯水が流れ落ちてきても、湯水が凹部２内に入らないようにするようにした。ただし、蓋体３の取り付けは施工現場で作業員が行わなければならないので、蓋体３の取り付け忘れが懸念される。そこで、蓋体３を凹部２に取り付けなければ浴室テレビ１を壁面に取り付けられないように、取付阻止片４を凹部２内に設けた。
【００２０】
図３を合わせて参照して、この取付阻止片４は長尺の板状で有り、下端部近傍に設けた軸受穴４１に、凹部２側に固定された軸２２が挿通され、この軸２２を中心に上下方向に揺動自在に保持されている。そのため、蓋体３を凹部に取り付け、蓋体３で取付阻止片４を凹部内から出ないように押さえていないと、取付阻止片４は自重によって後方に倒れ、先端が凹部２から突出する。なお、取付阻止片４が後方に倒れると、取付阻止片４の先端は軸２２より下方に位置するまで揺動するようにした。このように、先端が軸２２より下方に位置していれば、取付阻止片４が凹部２から外に倒れている状態で浴室テレビ１を壁面に取り付けようとしても、取付阻止片４の先端が壁面に当接し、その状態で浴室テレビ１を壁面に近づけようとしても取付阻止片４が凹部２内に戻ることが無く、結果的に浴室テレビ１を壁面に取り付けることができない。
【００２１】
ただし、取付阻止片４の先端が壁面に当接した状態で浴室テレビ１を下方にずらせば、取付阻止片４が凹部２内に戻されることが考えられる。そこで、取付阻止片４の軸受穴４１に矩形の係合部４２を設けると共に、軸２２に矩形軸部２３を形成し、取付阻止片４が外側に倒れた状態で取付阻止片４の先端が軸２２側に押されると取付阻止片４が後退して係合部４２内に矩形軸部２３が嵌まり、取付阻止片４が揺動できない状態になるようにした。
【００２２】
ところで、上記の実施の形態では取付阻止片４が自重で凹部２の外側に揺動するようにしたが、図４および図５に示すように、バネ６の付勢力によって取付阻止片４を凹部２の外側に向かって揺動させるようにしてもよい。
【００２３】
なお、このバネ６は取付阻止片４を揺動させるトーションバネとして機能するが、同時に取付阻止片４を凹部２の側面２４側に押して移動させる圧縮バネとしても機能するものである。従って、凹部２に蓋体３を取り付けて取付阻止片４を凹部２内に留めておかないと、取付阻止片４はバネ６の付勢力によって凹部２の外側に揺動する。そして、揺動後に凹部２の側面２４に設けたストッパ２５の下側にバネ６の付勢力によって押されてスライドする。すると、取付阻止片４はその状態から凹部２内へ戻そうとしても、ストッパ２５に当接して戻ることができない。なお、手作業で一旦取付阻止片４を側面２４から離れる方向にスライドさせてから起こせば、取付阻止片４を凹部２内に戻すことができる。そして、その状態で蓋体３を凹部２に取り付ければ、取付阻止片４は蓋体３に当接して凹部２内に保持される。上記実施の形態では、バネ６を用いて説明したが、バネ６に限定されるものではなく、ゴムやプラスチックなどの樹脂製の部品を用いた部品であってバネ６と同様の機能を有するものを用いてもよい。
【００２４】
なお、本発明は上記した形態に限定されるものではなく、本発明の要旨を逸脱しない範囲内において種々の変更を加えてもかまわない。
【符号の説明】
【００２５】
１ 浴室テレビ
２ 凹部
３ 蓋体
４ 取付阻止片
６ バネ
１２ パッキン
１３ 電源コード
２２ 軸
２３ 矩形軸部
２４ 側面
２５ ストッパ
４１ 軸受穴
４２ 係合部
５１ コネクタ
【図１】
0006051453.tif 000002
【図２】
0006051453.tif 000003
【図３】
0006051453.tif 000004
【図４】
0006051453.tif 000005
【図５】
0006051453.tif 000006